(57)【特許請求の範囲】
【請求項１】
発光ダイオードと、
蛍光ランプにレトロフィットするソケットアダプタと、
電気回路とを有し、
前記電気回路が、蛍光ランプドライバに対して蛍光ランプフィラメント抵抗及び蛍光ランプインピーダンスの少なくとも一方をエミュレートすることにより、前記蛍光ランプドライバに対して前記蛍光ランプの存在をエミュレートし、
前記電気回路は、蛍光ランプ動作手順において用いられない周波数範囲において前記蛍光ランプインピーダンスをエミュレートする、発光システム。
【請求項２】
前記電気回路は、更に、蛍光ランプ開始プロセスで前記蛍光ランプドライバからの定格電力を利用し、前記定格電力は、光放射用の発光ダイオードに電力供給するのに十分である、請求項１に記載の発光システム。
【請求項３】
前記電気回路は、前記ドライバにより供給された蛍光ランプ駆動電流の周波数、振幅及び／又は電力シーケンスに基づいて、前記蛍光ランプドライバのステータス及び／又はタイプを検出する、請求項１に記載の発光システム。
【請求項４】
前記電気回路は、前記発光ダイオードのセットに電力供給するように適合され、前記発光ダイオードのセットのサブセットは、前記電気回路により光放射のために電力供給され、
前記電気回路は、更に、送信された電力の特性に基づいて、前記蛍光ランプドライバから発光ダイオードの前記サブセットに伝送された電力を分配する、請求項１に記載の発光システム。
【請求項５】
前記電気回路は、当該発光システムの要求された予め決められた電力要件を前記蛍光ランプドライバに信号で伝えるためにエミュレーションを実行する、請求項１に記載の発光システム。
【請求項６】
発光システム特性を検出するための手段を更に有し、
前記発光システム特性は、実際の光放射特性、当該発光システムの温度、当該発光システムが動作する周囲の環境状態、及び／又は、当該発光システムの世代を有し、
信号で伝えられた発光ダイオード駆動電力要件は、検出された前記発光システム特性に依存する、請求項５に記載の発光システム。
【請求項７】
前記電気回路は、発光ダイオード駆動電力要件を示す信号を前記蛍光ランプドライバに送信する、請求項１に記載の発光システム。
【請求項８】
発光システム特性を検出するための手段を更に有し、
前記発光システム特性は、実際の光放射特性、当該発光システムの温度、当該発光システムが動作する周囲の環境状態、及び／又は、当該発光システムの世代を有し、
前記発光ダイオード駆動電力要件は、検出された前記発光システム特性に依存する、請求項７に記載の発光システム。
【請求項９】
前記発光ダイオード駆動電力要件を示す前記信号はデジタル信号である、請求項７に記載の発光システム。
【請求項１０】
遠隔制御信号を受信するための手段を更に有する、請求項１に記載の発光システム。
【請求項１１】
蛍光ランプ及び請求項１〜１０のうちいずれか一項に記載のレトロフィット発光ダイオードシステムに電力供給し、前記発光ダイオードシステムの電力要件を検出する、蛍光ランプドライバ。
【請求項１２】
前記発光ダイオードシステムの抵抗及び／又はインピーダンス応答に基づいて前記発光ダイオードシステムの電力要件の検出を実行する、請求項１１に記載の蛍光ランプドライバ。
【請求項１３】
前記発光ダイオードシステムから受信したデジタル信号に基づいて前記発光ダイオードシステムの電力要件の検出を実行する、請求項１１に記載の蛍光ランプドライバ。
【発明の詳細な説明】
【技術分野】
【０００１】
本発明は、発光システム及び発光システム用ランプドライバに関する。
【背景技術】
【０００２】
発光ダイオード（ＬＥＤ）は、将来の一般照明においてますます重要な役割を果たす。これは、新たな装置が様々な手法でＬＥＤ光源を備えることをますますもたらすだろう。従来の光源をＬＥＤ光源と交換する理由は、ＬＥＤ光源の低消費電力及びこれらの極端に長い寿命にある。
【０００３】
更に、例えば蛍光灯型光源の寿命と比較して、蛍光灯型光源を受けるためのそれぞれのハウジング及び蛍光灯型光源に電力を供給するためのそれぞれのドライバの寿命はかなり長い。それ故、ユーザが斯様な種類の蛍光灯型光源を簡単に交換する場合に魅力的なものになると思われる。
【０００４】
しかしながら、最新の電子安定器又はドライバが"ＴＬ管"のような蛍光灯光源の識別能力をもつ、即ち、これらが安定器に接続されたＴＬ管の型式を検出するために例えばフィラメント抵抗を測定するという課題が存在する。フィラメント抵抗の斯様な測定は、典型的に異なる管のタイプが異なる駆動電力要件を必要とするので有利である。例えば、ＴＬ管の長さは、管のバーニング電圧及びそれ故に電力レベルに影響を与える。ＬＥＤレトロフィット管がインテリジェントチューブドライバに接続される場合において、ＬＥＤの存在及び単純なＴＬ管フィラメントがないことに起因して、チューブドライバは、未知のフィラメント抵抗及びそれ故に普通ではない動作を検出する場合がある。
【０００５】
米国特許第６，９３６，９６８号明細書は、長尺円筒形透明エンベロープと、エンベロープの各端部にあるベースキャップと、ベースキャップと電気通信する少なくとも１つのＬＥＤデバイスとを含む蛍光灯管の交換用のＬＥＤ光管を開示している。ＬＥＤ光管は、いわゆる反射型照明器具における使用に適合される。
【発明の概要】
【発明が解決しようとする課題】
【０００６】
本発明の目的は、任意の電子安定器又はドライバにより電力供給可能な発光システムを提供することにある。
【課題を解決するための手段】
【０００７】
この目的は、発光ダイオードと、蛍光ランプにレトロフィットするソケットアダプタと、電気回路とを有し、前記電気回路が、蛍光ランプドライバに対して前記蛍光ランプの存在をエミュレートするように適合される、発光システムにより解決される。
【０００８】
本発明の発光システムは、ドライバが"通常の"蛍光ＴＬ管の存在を常に感知するので、如何なる最新の電子安定器又はドライバであってもＬＥＤレトロフィット管に電力供給することができるという利点をもつ。それ故、ドライバが従来のＴＬ管の存在を想定するので、ドライバは、安定した態様でＬＥＤレトロフィットランプに電力供給するだろう。
【０００９】
ＬＥＤの効率の増大により、一定の駆動電力は、初期構成と比較して最新で高効率なＬＥＤを用いたときに増大した輝度をもたらすだろう。それ故、本発明の発光システムは、器具毎の或る光束（optical flux）が、蛍光ランプドライバに対して或る蛍光ランプ特性の存在をエミュレートすることにより用いられたＬＥＤとは独立して供給され得るという更なる利点をもつ。
【００１０】
更に、ＬＥＤ照明により、例えば、異なる着色ＬＥＤを用いて調節可能な色をもつか、又は、異なる色温度を備えた白色ＬＥＤを用いるという、多くの他の可能性が存在する。これらの場合の全てにおいて、電気回路の応答を調節することにより、異なる駆動電力系は、所望の態様で発光ダイオードにより放射された光を適合させることを常に可能にする蛍光ランプドライバから要求され得る。換言すれば、これらの場合の全てにおいて、従来の蛍光管の存在をシミュレートする場合において安定した動作を保証するために、又は、所望のドライバを備えたＬＥＤ管の特徴を用いるために、発光ダイオードレトロフィット管の特徴に関する一部の情報がドライバに通信される。
【００１１】
例えば、正確な光出力を設定するために、駆動電流が従来のＬＥＤに対して調節され得る。増大したエネルギコストに起因して、ＬＥＤの長い技術的寿命（long technical lifetime）をもったとしても、ＬＥＤ管の（ＬＥＤの増大したｌｍ／Ｗに起因する）より効率的なＬＥＤ管との交換は非常に合理的である。斯様な状況において、ドライバを新たなＬＥＤ管の要件に自動的に適合させることが好ましい。これは、照明器具毎に生成された光を同一量にすることを保証する。唯一の差異は、ランプが少ししか電力を消費しないことである。電流供給源の挙動を想定した場合には、これは、ＬＥＤ管の順方向電圧を低くすることにより達成され得る。結果として、管毎のＬＥＤの数が変えられなければならず、これは、別個の光点に起因した光学上の問題をもたらし、より多くの非散乱光を生成する。それ故、より良い解決策は、同一量のＬＥＤを用いるが、より低い電流で同一の光出力を生成するより小さなＬＥＤを用いることである。
【００１２】
本発明の一実施形態によれば、前記電気回路は、前記蛍光ランプドライバに対して蛍光ランプフィラメント抵抗及び／又は蛍光ランプインピーダンスをエミュレートすることにより、前記蛍光ランプの存在をエミュレートするように適合される。蛍光ランプドライバに対する蛍光ランプフィラメント抵抗及び／又は蛍光ランプインピーダンスをエミュレートする利点は、電子ランプドライバが、標準の蛍光ＴＬ管の存在を自動的に推測し、それ故に、発光システムを動作させるのに十分な電力を発光システムに供給することにある。最新の電子安定器は、蛍光ランプフィラメント抵抗及び／又は蛍光ランプインピーダンスに依存してＴＬ管の電力要件を識別することができるので、蛍光ランプドライバに対する特定の予め決められた蛍光ランプフィラメント抵抗及び／又は蛍光ランプインピーダンスをエミュレートすることにより、蛍光ランプドライバは、非常に特殊な態様で電力を発光ユニットに供給するように制御され得る。例えば、或るエミュレートされたフィラメント抵抗は、或るＴＬ管の或る電力要件特性に対応し、その結果、或る駆動電力系を発光システムに与えるように蛍光ランプドライバを制御するだろう。斯様な駆動電力系は、例えば蛍光ランプ開始シーケンスの間における或る駆動電圧、或る電流系、駆動周波数、電流波形等を有し得る。
【００１３】
本発明の一実施形態によれば、前記電気回路は、蛍光ランプ動作手順において用いられない周波数範囲において蛍光ランプインピーダンスをエミュレートするように適合される。蛍光ランプ動作手順において未使用の周波数範囲の蛍光ランプインピーダンスの斯様なエミュレーションは、例えば追加的な発光ダイオード特定情報が、斯様な未使用の周波数範囲における特徴的インピーダンス応答により蛍光ランプドライバに供給され得るという利点をもつ。例えば、発光システムは、従来において蛍光ＴＬランプ動作手順のために用いられた周波数範囲における蛍光ランプインピーダンス、及び追加的に、蛍光ランプ動作手順において未使用の周波数範囲における他の蛍光ランプインピーダンスにより、一般的な蛍光ランプの存在をエミュレートすることができる。低価格の蛍光ランプドライバは、典型的に蛍光ランプ動作手順において用いられた周波数範囲のみを走査し、それ故に"通常の"蛍光ランプの存在だけを推測するだろう。しかしながら、ハイエンドの蛍光ランプドライバは、追加的に、標準の蛍光ランプ動作手順において未使用の周波数範囲を走査することができ、それ故に、この周波数範囲における或る特徴的インピーダンスの存在を検出することができるだろう。検出されたインピーダンスは解析され、これは、レトロフィットＬＥＤ管を有するそれぞれの発光システムに対する特徴であるので、ハイエンドの蛍光ランプドライバは、それぞれに適合された電力系を発光システムに供給することができるだろう。
【００１４】
本発明の一実施形態によれば、前記電気回路は、更に、蛍光ランプ開始プロセスで蛍光ランプドライバからの定格電力を利用するように適合され、前記定格電力は、光放射用の発光ダイオードに電力供給するのに十分である。この目的のため、電気回路は、例えば、ドライバにより供給された蛍光ランプ駆動電流の周波数に基づいて蛍光ランプ開始プロセスを検出するように適合され得る。この場合において、エミュレーションは、蛍光ランプドライバがそれぞれの加熱フィラメントを有する従来の蛍光管のために必要とされる予熱手順の極端に速い完了を推定するような態様で実行され得る。それ故、発光システムを"オンにする"ことにより、発光システムは、非常に短い時間内、即ち典型的には従来の蛍光ランプの電力を上げるために必要とされる時間よりも非常に短い時間内に安定した光出力を直ちに供給するだろう。
【００１５】
本発明の一実施形態によれば、前記電気回路は、前記ドライバにより供給された蛍光ランプ駆動電流の周波数に基づいて前記蛍光ランプドライバのステータスを検出するように適合される。これは、更に、蛍光ランプ駆動特性を検出するように適合されてもよい。これは、例えば、ドライバにより供給された蛍光ランプ駆動電流の周波数に基づく動作手順、予熱及び開始手順、駆動電力等を含む。蛍光ランプドライバ特性及び／又はステータスの検出は、例えば、発光システムの既に前述された開始手順、即ち、システムをオンにした後の電力増大手順が、従来の蛍光ランプシステムと比較して時間的に速められ得るという利点をもつ。
【００１６】
本発明の一実施形態によれば、前記電気回路は、発光ダイオードのセットに電力供給するように適合され、前記発光ダイオードのセットのサブセットは、前記電気回路により光放射のために電力供給され、前記電気回路は、更に、送信された電力の特性に基づいて、蛍光ランプドライバから発光ダイオードのサブセットに伝送された電力を分配するように適合される。好ましくは、前記電気回路は受動回路である。例えば、前記電気回路は、予め決められた周波数範囲の電力のみを利用する回路のセットを有し得る。即ち、前記回路は、バンドパスフィルタ、ローパスフィルタ等である。例えば、従来の蛍光ランプの開始手順の間において、高周波電流が蛍光ランプドライバから供給されるので、この周波数は、蛍光ランプドライバにより実行された標準の開始手順の間において光放射のためにすぐに電力供給されるべき発光ダイオードのサブセットを選択するために用いられ得る。開始手順が完了した後に、蛍光ランプドライバは、供給される電流周波数を削減し、追加的に、発光システムにおける全ての発光ダイオードに対して電力を増大させるのに十分な電力を供給するだろう。好ましくは、発光ダイオードのこれまで使用されていない他のサブセットを蛍光ランプドライバと接続する電気回路は、蛍光ランプドライバにより用いられた"通常の動作手順"の周波数範囲において電力を利用することができ、それ故に、今まで使用されていない発光ダイオードに対して電力を増大させることができる。結果として、通常の蛍光ランプ開始手順の間、発光ダイオードのサブセットは、蛍光ランプ開始手順の全期間にいずれかの光を供給するための発光システムの応答時間が効果的に最小化され得るように、すぐに光を放射するだろう。
【００１７】
発光ダイオードのセットのサブセットに電力供給するように適合された電気回路をもつ他の利点は、異なる発光ダイオードに電力供給することにより、異なる色温度が効果的に生成され、切り替えられ得ることである。同じことが、電力供給された発光ダイオードの数及びそれ故にランプにより生成された光の量を制御している最も簡素なアプリケーションに対して適用できる。換言すれば、蛍光ランプドライバに対する或る蛍光ランプフィラメント抵抗及び／又は蛍光ランプインピーダンス特性をエミュレートすることにより、発光ダイオードの或るサブセットが予め決められた態様で電力供給されるように、或る周波数範囲の電力を供給するように蛍光ランプドライバを"刺激"及び制御することが可能である。
【００１８】
これは、発光システムに含まれる追加的な感知要素との組み合わせにおいて特に有利である。例えば、これらの感知要素は、発光システム特性を検出するための手段を有し、前記発光システム特性は、実際の光放射特性、発光システムの温度、発光システムが動作される環境の環境条件、及び／又は、発光システムの世代を有する。例えば、或る発光システム特性を検出した後、発光システムは、蛍光ランプドライバが予め決められた態様で電力供給特性を変えるように制御及び刺激されるような態様で、現在用いられている蛍光ランプエミュレーション特性を変化させ得る。例えば、検出された発光システム特性が感知されたアンビエント照明の条件を有する場合において、蛍光ランプドライバは、発光システムのインピーダンスを変化させることにより前記感知されたアンビエント照明の条件を適宜制御し得る。例えば、発光システムが明るい日中を感知する場合においては、明らかに発光システムからの高レベルの追加的な光放射が必要とされないので、エミュレーションは、定格電流のみが蛍光ランプドライバにより発光システムに供給されるような態様で実行され得る。これに対して、アンビエント照明検出手段が暗いことを感知する場合において、発光システムの電気回路によるエミュレーションは、全ての発光ダイオードが明るい光放射に対して電力供給され得るような態様で電力を供給するように蛍光ランプドライバを制御するように実行される。
【００１９】
発光システム特徴体の蛍光ランプドライバとの通信の使用に関する他の例は、様々な補償によるものである。管は実際の光束に言及する。実際の光束が指定された値にもはや適合しない場合において、これは、駆動電流を調節するためにドライバに通信される。光束変化の理由は、経年劣化又は温度変化であり得る。簡単な解決策は、専用の温度依存関係をもつ抵抗（ＰＴＣ、ＮＴＣ）又は光依存性抵抗（ＬＤＲ）を含むだろう。
【００２０】
本発明の一実施形態によれば、前記電気回路は、発光ダイオードの要求された予め決められた電力要件を前記蛍光ランプドライバに信号で伝えるためにエミュレーションを実行するように適合される。これは、例えば、発光システムが、要求された電力を受信するための蛍光ランプドライバに対して特定のエミュレーションを実行することにより、この要求された電力を順次信号で伝えることができるように、前述された検出された発光システム特性が、発光システムの電力要件を決定するための制御入力として用いられ得るという利点をもつ。
【００２１】
本発明の一実施形態によれば、前記電気回路は、発光ダイオード駆動電力要件を示す信号を前記蛍光ランプドライバに送信するように適合される。換言すれば、要求された予め決められた電力要件を蛍光ランプドライバに信号で伝えるためのエミュレーションだけを実行するのに代えて、追加的に又は代わりに、或る信号が蛍光ランプドライバに送信され、前記信号は、蛍光ランプドライバにより順次解析され、要求された電力を発光システムに供給するように蛍光ランプドライバを制御し得る。この場合もやはり、発光ダイオード駆動電力要件は、前述された検出された発光システム特性に依存し得る。
【００２２】
本発明の一実施形態によれば、前記発光ダイオード駆動電力要件を示す前記信号はデジタル信号である。
【００２３】
本発明の他の実施形態によれば、発光システムは、遠隔制御信号を受信するための手段を更に有する。遠隔制御信号を受信するための手段を発光システム自体に含めることは、光放射のための発光システムのオープンデザインに起因して、遠隔制御信号としての電磁波及び／又は音波が、unpertubateな態様で、遠隔制御信号を受信するための手段に到達するという利点をもつ。斯様な遠隔制御信号を受信するための手段が蛍光ランプドライバに含められる場合において、金属担体における蛍光ランプドライバの典型的なカプセル化に起因して、遠隔制御信号は、蛍光ランプドライバに配置されたそれぞれのセンサから遮蔽されるだろう。それ故、遠隔制御信号を受信するための斯様なセンサを発光システム自体に含めることにより、遠隔制御信号の不所望な遮蔽が阻止され得る。斯様な遠隔制御信号は、例えば、色温度、光強度、光の空間分布、電力のオン及びオフのような、発光システムの発光特性を変化させるための信号を有してもよい。
【００２４】
概して、前記電気回路は、電力レベル、電圧及び／又は電流の振幅、周波数、極性等のような、要求された予め決められた電力要件をランプドライバに信号で伝えるためのエミュレーションを実行するように適合され、発光システムに供給されるべき電力を特定する実際の発光特性は、光束、光の温度、光の色、光の空間分布、光のスペクトル成分等を有し得る。
【００２５】
他の態様において、本発明は、蛍光ランプドライバに関し、当該蛍光ランプドライバは、蛍光ランプ及び本発明のレトロフィット発光ダイオードシステムに電力供給するように適合される。更に、当該ランプドライバは、発光ダイオードシステム電力要件を検出するように適合される。例えば、当該ドライバは、発光ダイオードシステムの抵抗及び／又はインピーダンス応答に基づいて、発光ダイオードシステム電力要件の検出を実行するように適合される。
【００２６】
本発明の一実施形態によれば、当該ドライバは、前記発光ダイオードシステムから受信したデジタル信号に基づいて前記発光ダイオードシステムの電力要件の検出を実行するように適合される。
【００２７】
本発明の一実施形態によれば、当該ランプドライバは、発光ダイオードシステム自身で予め受信した遠隔制御信号を発光ダイオードシステムから受信するための手段を更に有する。
【００２８】
以下において、本発明の好ましい実施形態は、図面を参照して単なる例により、より詳細に説明される。
【図面の簡単な説明】
【００２９】
【図１】本発明の発光システム及び蛍光ランプドライバを示す概略図である。
【図２】本発明の発光システムを示す他の概略図である。
【図３】デジタル発光システム及びそれぞれのデジタルランプドライバを示す他の概略図である。
【図４】本発明の発光システムを動作させる方法を示すフローチャートである。
【発明を実施するための形態】
【００３０】
図１は、本発明の発光システム１００を示す概略図である。発光システムは、直列に接続された発光ダイオード１０４のセットを有する。蛍光管をレトロフィットするときには、大抵、各端部上の２つで前記管に再送信される４つのベース分岐先端部１１５が存在する。従来的には、ベースキャップ上の２つのピンがフィラメントに電力を供給するために用いられる。ＬＥＤ管においてはフィラメントが必要とされないので、それぞれのベース分岐先端部１１５に接続される抵抗１１２のような電子部品は、例えば、蛍光ランプドライバ１０２に対する或る蛍光ランプフィラメント抵抗及び／又は蛍光ランプインピーダンスの存在をエミュレートするために用いられる。２組のベース分岐先端部１１５間に配置されたキャパシタ１１６は、干渉抑制キャパシタであってもよく、又は、ランプに電力供給するためのドライバにより用いられた周波数範囲において管のインピーダンスに影響を及ぼすように設計されてもよい。
【００３１】
図１に示すように、２つのベース分岐先端部１１５は、蛍光ランプドライバ１０２に接続される。蛍光ランプドライバ１０２は、例えば発光システム１００の蛍光ランプフィラメント抵抗及び／又は蛍光ランプインピーダンスを検出するための手段１１８を有する。最も簡素な状況において、発光システム１００の動作に関して、発光システム１００は、電気回路１１２により、或る蛍光ランプフィラメント抵抗及び／又は或る蛍光ランプインピーダンスを蛍光ランプドライバ１０２に対してエミュレートする。検出手段１１８は、このエミュレートされ提示された蛍光ランプ特性を検出し、ベース分岐先端部１１５に接続された標準の従来の蛍光ランプの存在を想定する。その結果、蛍光ランプドライバ１１２は、ベース分岐先端部１１５を介して発光システム１００に電流を送り、発光システム１００の電力供給は、エミュレートされ伝えられた蛍光ランプフィラメント抵抗及び／又は蛍光ランプインピーダンスに適合した態様で蛍光ランプドライバ１０２により実行される。換言すれば、電気回路１１２は、蛍光ランプドライバ１０２に対して代替回路を提示する。
【００３２】
図２は、より高度に洗練された照明システム１００を示している。この照明システム１００において、図１の電気回路１１２は、キャパシタ、コイル、抵抗、及び、マイクロプロセッサ等を含む能動電子部品を有し得る電気回路２００のセットに置換されている。この場合も先と同様にベース分岐先端部１１５に接続される蛍光ランプドライバ１０２は、ここでは示されていない。動作において、電気回路２００は、この場合もやはり、蛍光ランプドライバ１０２に対して或る電子蛍光ランプ応答をエミュレートするだろう。しかしながら、図２の照明システムがより高度に洗練された照明システムであるので、電気回路２００は、蛍光ランプ動作手順において大抵用いられる周波数範囲において或る蛍光ランプインピーダンスをエミュレートするように適合され、追加的に、蛍光ランプ動作手順において通常用いられない周波数範囲において蛍光ランプドライバに対して第２の予め規定されたインピーダンスをエミュレートする。後者の場合において、蛍光ランプドライバ１０２はそれぞれ適合された蛍光ランプドライバであり、これは、蛍光ランプ動作手順において用いられない周波数範囲において蛍光ランプインピーダンス応答を追加的に走査することができる。高度に洗練された蛍光ランプドライバ１０２は、通常の蛍光ランプ動作手順において用いられない前記周波数範囲において斯様なはっきりと規定されたインピーダンス応答の存在を検出するだろう。
【００３３】
実例において、電気回路２００は、５０ｋＨｚの範囲の標準的な蛍光ランプの典型的に用いられる周波数範囲からかなり遠い１．５ＭＨｚの周波数範囲で動作する共振回路を有する。１．５ＭＨｚでの電気回路２００のエミュレートされたインピーダンスは、１．５ＭＨｚでの測定されたインピーダンスを蛍光ランプ１０２のメモリ１２２に格納されたそれぞれのインピーダンス基準値と順次比較する蛍光ランプドライバ１０２により検出され得る。各インピーダンス基準値は、測定後にそれぞれのインピーダンスが電力を照明システム１００に供給するために用いられる、蛍光ランプドライバ１０２のそれぞれの電力系に関連付けられる。例えば、発光システム１００が大量の発光ダイオードを有する場合には、発光システム１００は、メモリ１２２に含まれるテーブルにおいて、高い電流及び／又は電圧、それ故に前記大量の発光ダイオード１０４に電力供給するのに十分な電流及び／又は電圧を含む蛍光ランプドライバの電力系に関連付けられる蛍光ランプドライバに対してそれぞれのインピーダンスをエミュレートするだろう。これに対して、発光ダイオード１０４が発光システム１００において少ししか存在しない場合には、発光システム１００は、電気回路２００により、蛍光ランプドライバ１０２に対して異なるインピーダンスをエミュレートするだろう。エミュレートされたインピーダンスは、低い電流及び電圧のみをベース分岐先端部１１５を介して発光システム１００に供給するそれぞれの電力系に対応する。
【００３４】
また、直列に内部接続された発光ダイオード１０４の異なる部分を異なる電気回路２００に接続する接続ライン２０４及び２０６が図２に示されている。この場合において、電気回路２００は、例えば、バンドパス、ハイパス若しくはローパスフィルタ等の周波数依存型フィルタのような周波数反応要素、又は、マイクロコントローラ（μＣ）若しくはスイッチ等の能動電子部品を更に有し得る。この場合において、例えば電気回路２００´は、或るカットオフ周波数を超える場合のみ接続ライン２０４を介して電力の供給を実行するハイパスフィルタを有し得る。例えば、環境アンビエント光検出器２０８が明るい日の光の存在を検出する場合には、電気回路２００は、電気回路２００が発光ダイオード１０４に伝導ライン２０４を介して電力を供給しないように、前述されたカットオフ周波数を下回る或る周波数で電力を供給するために高度な蛍光ランプドライバ１０２に信号を送るインピーダンスに変えられ得る。これに対し、アンビエント光センサ２０８が暗闇の存在を検出する場合には、より多くの光強度が発光システム１００から要求され得る。この場合において、電気回路２００は、蛍光ランプドライバ１０２に対して異なる蛍光ランプインピーダンスの存在をエミュレートするように変えられ、前述したカットオフ周波数を超える周波数で電力をベース分岐先端部１１５を介して発光システム１００に供給するためにその電力系を順次適合させるだろう。この場合において、電気回路２００´はハイパスフィルタを有するので、電流は、接続ライン２０４を介して発光ダイオード１０４に追加的に供給されるだろう。同様の原理は、接続ライン２０６を介しての発光ダイオード２０４への電力の供給を可能にするフィルタを追加的に有し得る左側の電気回路２００に対して適用できる。
【００３５】
図３は、発光システム１００及び蛍光ランプドライバ１０２を示す他の概略図を示している。蛍光ランプドライバ１０２にライン電圧を供給する電源３０２が図３に更に示されている。蛍光ランプドライバ１０２は、例えば発光システム１００の電気回路３０６によりエミュレートされた蛍光ランプインピーダンスの検出に適合され、及び／又は、電気回路３０６からデジタル信号を受信する感知ユニット３０４を更に有する。例えば、電気回路３０６は、静的であり常に不変のままである蛍光ランプドライバ１０２に対して或る蛍光ランプフィラメント抵抗及び／又は蛍光ランプインピーダンスをエミュレートし得る。しかしながら、追加的に、電気回路３０６は、発光システム１００の電力要件を示す追加のデジタル信号を蛍光ランプドライバ１０２に供給するように適合されたマイクロプロセッサを有し得る。蛍光ランプドライバ１０２は、デジタル信号を受信して理解し、発光システム１００に供給される電力系に順次適合させる。
【００３６】
例えば、発光システム１００は、発光システム１００の温度を検出するための検出手段を有する。これらの検出手段３００は、検出されたパラメータを直接的にドライバに信号で伝えるか、又は、実際の温度を電気回路３０６に信号で伝えるかのいずれかであり、例えば、過熱等による損傷を阻止するために、供給された電力系を変えることを示すデジタル信号を蛍光ランプドライバ１０２に順次送信する。しかしながら、発光システム１００からの任意の種類の信号の受信がある場合に、蛍光ランプドライバ１０２が、供給された電力系を必ずしも変化させる必要はないことがここで指摘されるべきである。例えば、発光システム１００は、数時間の電力を蛍光ランプドライバに信号で伝え、数時間の電力を伝えるために外部のメンテナンスシステムにより順次問い合わせされ得る。これは、例えば、発光システム１００の多くの問い合わせされたセットのオペレータが、数時間で最大量の電力に達した後に発光システム１００を選択的に置換することを可能にする。これは、習慣的な不具合が予期される前に発光システムの置換を可能にするだろう。
【００３７】
遠隔制御信号を受信するための手段を有するレシーバ３０８が図３に更に示されている。例えば、発光システム１００のオペレータは、発光システムをオン又はオフに切り替えるために赤外信号又は電波信号等の電磁信号を発光システムに送信するように適合された遠隔制御を有し得る。任意の他の種類の動作スキームが発光システム１００の動作を制御するために含まれ得る。これは、光束、光の温度、光の空間分布、光のスペクトル成分等を含む。遠隔制御信号がレシーバ３０８により受信される場合には、例えば、電気回路３０６のインピーダンスが適宜変化されるか、又は、デジタル信号が蛍光ランプドライバ１０２に供給され、駆動電力系を順次適合させるだろう。
【００３８】
発光システムの電力特性がどのように変化されるかについての可能性が図４に要約されている。図４のフローチャートは、ステップ４００で開始し、このステップ４００において、蛍光ランプドライバが、発光システムによりエミュレートされ得る第１のインピーダンスを検出する。エミュレーションは、例えば蛍光ランプドライバに対して蛍光ランプフィラメント抵抗及び／又は蛍光ランプインピーダンスの存在をエミュレートするように適合される。追加的に、ステップ４０４においてデジタル情報が蛍光ランプドライバにより受信され、及び／又は、ステップ４０２において第２のインピーダンスが蛍光ランプドライバにより検出され得る。好ましくは、第２のインピーダンスは、通常の蛍光ランプ動作手順において用いられない周波数範囲において検出される。
【００３９】
ステップ４００，４０２又は４０４のいずれかの後、蛍光ランプドライバは、ステップ４０６において、ステップ４００〜４０４のいずれかにおいて取得された情報に特に適合される或る電力特性を設定する。ステップ４０６の後、ステップ４０８が実行され、発光システムに電力を供給する。
【００４０】
ステップ４０８における発光デバイスの動作の間、蛍光ランプドライバは、例えばステップ４１０においてインピーダンスの変化を追加的に検出し得る。これは、再びステップ４０６を呼び出し、ステップ４０６において、発光システムに供給された電力の電力特性が、検出されたインピーダンスの変化に従って変化され得る。続いて、再びステップ４０８において、電力は、変化された電力特性で発光システムに供給される。ステップ４１０に代えて又はこれに加えて、ステップ４１２において、実際の光束、ランプ温度、発光システムの動作時間、実際の光の色等のような或るランプ特性が蛍光ランプドライバにより受信され得る。続いて、蛍光ランプドライバは、ステップ４０６において実際の電力特性を変化させてもよく、又は、変化させなくてもよい。それ故、ステップ４１２におけるランプ特性の受信は、ステップ４０６において電力特性セッティングを必ずしも変化させるものではなく、外部メンテナンスシステムへの後の供給のために発光システムの他の情報を収集するために蛍光ランプドライバにより用いられてもよい。ステップ４１２に加えて又はこれの代わりに、ステップ４１４において、遠隔制御信号は、発光システム自身に組み込まれたレシーバを介して蛍光ランプドライバにより受信され得る。この場合もやはり、ステップ４１４において受信された遠隔制御信号は、電力特性セッティングの変化をもたらし得る。
【００４１】
本発明の他の実施形態によれば、ステップ４１６においてデジタル情報が受信されてもよく、このステップ４１６は、ステップ４１２に関して前述された原理に従って、ステップ４０６において電力特性セッティングの変化をもたらすか又はもたらさない。
【００４２】
蛍光ランプドライバに対する或るフィラメント抵抗及び／又はインピーダンス応答のエミュレートは、要求されたＬＥＤ駆動電力系に関する蛍光ランプドライバ情報を供給するための単なる可能性だけではないことが留意されるべきである。概して、抵抗、インピーダンス、或る周波数でのエネルギ吸収、共振等のような任意の種類の電気的応答が蛍光ランプドライバに対してエミュレートされ得る。
【符号の説明】
【００４３】
１００  発光システム
１０２  蛍光ランプドライバ
１０４  発光ダイオード
１０８  整流器
１１０  センサ
１１２  電気回路
１１５  ベース分岐先端部
１１６  キャパシタ
１１８  検出手段
１２０  キャパシタ
１２２  メモリ
２００  電気回路
２０４  接続ライン
２０６  接続ライン
２０８  センサ
３００  検出手段
３０２  電源
３０４  感知ユニット
３０８  受信ユニット
３０６  電気回路
【図１】
0005480250.tif 000002
【図２】
0005480250.tif 000003
【図３】
0005480250.tif 000004
【図４】
0005480250.tif 000005